(57)【要約】【課題】本発明は、圧縮コイルスプリングの一部同士による異音を抑え得るレンズ鏡筒及び撮像装置の提供を目的とする。【解決手段】本発明のレンズ鏡筒１は、レンズ保持枠７２ａと、レンズ保持枠７２ａを光軸方向に移動可能に保持した移動レンズ保持部材５と、レンズ保持枠７２ａを移動レンズ保持部材５に対して光軸方向の一方向側に付勢した圧縮コイルスプリング７５と、圧縮コイルスプリング７５の一部同士が接触する異音を抑えるための離間部材８とを備える。離間部材８は、圧縮コイルスプリング８の軸方向の一端部の一部に、前記一部の外周を被覆するように配設されている。【選択図】図８
2014174182.tif 000002
【特許請求の範囲】
【請求項１】
移動レンズを保持するレンズ保持枠と、
前記レンズ保持枠を光軸方向に移動可能に保持した保持部材と、
前記レンズ保持枠を前記保持部材に対して前記光軸方向の一方向側に付勢する圧縮コイルスプリングと、
前記圧縮コイルスプリングの線材の一部同士が接触することにより生じる異音を抑え得るように、前記線材の一部同士を離間させておく離間部材を備え、
前記離間部材は、前記圧縮コイルスプリングの軸方向の一端部と他端部との少なくとも一方の一部に、前記線材の一部の外周を被覆するように配設されていることを特徴とするレンズ鏡筒。
【請求項２】
前記圧縮コイルスプリングは、その軸が前記光軸に略一致するように配設されていることを特徴とする請求項１記載のレンズ鏡筒。
【請求項３】
前記圧縮コイルスプリングは、その軸方向の一端部から他端部に行くに従い漸次コイル径が小さくなるように形成されて前記一端部が他端部よりも前記コイル径が径大なテーパーコイルスプリングであり、
前記離間部材は、前記圧縮コイルスプリングにおける前記径大側の一端部の一部に配設されていることを特徴とする請求項１又は２記載のレンズ鏡筒。
【請求項４】
前記離間部材は、テープ状部材から構成されているとともに、前記一部の外周に巻き付けられるようにして両端部同士が接着されていることを特徴とする請求項１〜３の何れか一項に記載のレンズ鏡筒。
【請求項５】
前記両端部同士は、前記圧縮コイルスプリングの内周側に配設されていることを特徴とする請求項４記載のレンズ鏡筒。
【請求項６】
前記圧縮コイルスプリングは、線材を一端部から他端部にかけて順次に輪状に巻回成形することによって軸方向に並設された複数の輪状部を備え、
前記離間部材は、前記線材の一端部と前記軸方向に隣接した輪状部における少なくとも前記一端部との対向部に配設されていることを特徴とする請求項１〜５の何れか一項に記載のレンズ鏡筒。
【請求項７】
前記離間部材は、前記隣接した輪状部における対向部と周方向に少なくとも１／３周、隔てた離隔部に、更に配設されていることを特徴とする請求項６記載のレンズ鏡筒。
【請求項８】
請求項１〜７の何れか一項に記載のレンズ鏡筒と、
前記レンズ保持枠に保持された１又は複数のレンズと、
前記レンズによって結像される被写体の光学像を電気的な信号に変換する撮像素子と、
を備えていることを特徴とする撮像装置。
【発明の詳細な説明】
【技術分野】
【０００１】
本発明は、レンズ鏡筒及び撮像装置に関するものである。
【背景技術】
【０００２】
従来から、レンズを保持し、撮像装置に用いられるレンズ鏡筒が知られている。このようなレンズ鏡筒においては、小型、軽量、低コストを達成しつつ高性能であることが求められている。この高い性能と小型化のために、保持したレンズの傾きや駆動追従性を高めることが必要とされる。例えば特許文献１に開示された撮像装置は、保持したレンズの傾きや駆動追従性を高める等のために、レンズを光軸方向に付勢する圧縮コイルスプリングを備えている。
【０００３】
このような圧縮コイルスプリングを光軸方向に配設する場合、駆動範囲で力量変化を抑える必要があり、そのため、圧縮コイルスプリングの軸を光軸に一致させるようにコイル径を大きくし、又は、線径を小さくし、或いは、軸方向の一端部から他端部に行くに従い漸次コイル径が小さくなるテーパーコイルスプリングを使用するようにしてスプリング自体の剛性の弱いものが使用されている。
【先行技術文献】
【特許文献】
【０００４】
【特許文献１】特開２０１１−４８１２３号公報
【発明の概要】
【発明が解決しようとする課題】
【０００５】
しかしながら、スプリング自体の剛性が弱い場合に、圧縮状態で、例えば振動させられると、圧縮コイルスプリングにおける隣接した一部同士が接触して異音を発する場合がある。このような異音が発すると、使用者に違和感を与えるおそれがある。
【０００６】
本発明は、圧縮コイルスプリングの一部同士が接触することにより生じる異音を抑え得るレンズ鏡筒及び撮像装置の提供を目的とする。
【課題を解決するための手段】
【０００７】
本発明のレンズ鏡筒は、移動レンズを保持するレンズ保持枠と、前記レンズ保持枠を光軸方向に移動可能に保持した保持部材と、前記レンズ保持枠を前記保持部材に対して前記光軸方向の一方向側に付勢する圧縮コイルスプリングと、前記圧縮コイルスプリングの線材の一部同士が接触することにより生じる異音を抑え得るように、前記線材の一部同士を離間させておくための離間部材を備え、前記離間部材は、前記圧縮コイルスプリングの軸方向の一端部と他端部との少なくとも一方の一部に、前記線材の一部の外周を被覆するように配設されていることを特徴とする。
【０００８】
この構成によれば、離間部材によって、圧縮コイルスプリングの隣接する一部同士の接触を抑えることができる。これにより、圧縮コイルスプリングが振動等を受けても、隣接する一部同士による異音を抑えることができる。
【０００９】
他の一態様では、前記レンズ鏡筒において、前記圧縮コイルスプリングは、その軸が前記光軸に略一致するように配設されていることを特徴とする。
【００１０】
この構成によれば、レンズ保持枠の駆動範囲での力量変化を設定し易いものにできる。又、１つの圧縮コイルスプリングで済み、離間部材の配設を容易に行うことができる。
【００１１】
他の一態様では、前記何れかのレンズ鏡筒において、圧縮コイルスプリングは、その軸方向の一端部から他端部に行くに従い漸次コイル径が小さくなるように形成されて前記一端部が他端部よりも前記コイル径が径大なテーパーコイルスプリングであり、前記離間部材は、前記圧縮コイルスプリングにおける前記径大側の一端部の一部に配設されていることを特徴とする。
【００１２】
この構成によれば、テーパーコイルスプリングによって、レンズ保持枠の駆動範囲での力量変化を、より一層設定し易いものにできる。又、このようなテーパーコイルスプリングの場合、軸方向の圧縮荷重を受けると、コイル径の大きい一端部がコイル径の小さい他端部よりも先に圧縮変形し、他端部よりもコイル径の大きい一端部で隣接する一部同士による異音が生じる場合が多い。そこで、離間部材を、圧縮コイルスプリングの一端部の一部に配設することで、隣接する一部同士による異音を効率よく、抑えることができる。
【００１３】
他の一態様では、前記何れかのレンズ鏡筒において、前記離間部材は、テープ状部材から構成されているとともに、前記一部の外周に巻き付けられるようにして両端部同士が接着されていることを特徴とする。
【００１４】
この構成によれば、圧縮コイルスプリングに離間部材を容易に配設できる。
【００１５】
他の一態様では、前記何れかのレンズ鏡筒において、前記両端部同士は、前記圧縮コイルスプリングの内周側に配設されていることを特徴とする。
【００１６】
この構成によれば、圧縮コイルスプリングの外周側にレバー等の可動部材が配設されている場合でも、離間部材の両端部が可動部材と干渉するおそれの少ないものにでき、可動部材の機能を損なうようなことを防止できる。
【００１７】
他の一態様では、前記何れかのレンズ鏡筒において、前記圧縮コイルスプリングは、線材を一端部から他端部にかけて順次に輪状に巻回成形することによって軸方向に並設された複数の輪状部を備え、前記離間部材は、前記線材の一端部と前記軸方向に隣接した輪状部における少なくとも前記一端部との対向部に配設されていることを特徴とする。
【００１８】
この構成によれば、線材の一端部がその一端部と隣接した輪状部における対向部に接触して異音を発する場合が多いが、上述のように、離間部材を、線材の一端部と隣接した輪状部における少なくともその一端部との対向部に配設されていることにより、線材の一端部による異音を防止できる。又、その輪状部とそれに隣接する輪状部とが接触することにより生じる異音を防止でき、異音を効率よく抑えることができる。
【００１９】
他の一態様では、前記何れかのレンズ鏡筒において、前記離間部材は、前記隣接した輪状部における対向部と周方向に少なくとも１／３周、隔てた離隔部に、更に配設されていることを特徴とする。
【００２０】
この構成によれば、線材の一端部と隣接した輪状部における一端部との対向部に加えて、輪状部同士による異音を防止でき、圧縮コイルスプリングの一部同士による異音を、より一層効率よく、しかも、確実に抑えることができる。
【００２１】
本発明の撮像装置は、請求項１〜６の何れか一項に記載のレンズ鏡筒と、前記レンズ保持枠に保持された１又は複数のレンズと、前記レンズによって結像される被写体の光学像を電気的な信号に変換する撮像素子と、を備えていることを特徴とする。
【００２２】
この構成によれば、離間部材によって、圧縮コイルスプリングの隣接する一部同士の接触を抑えることができ、圧縮コイルスプリングが振動等を受けても、隣接する一部同士による異音を抑えることができる。
【発明の効果】
【００２３】
本発明のレンズ鏡筒及び撮像装置は、圧縮コイルスプリングの一部同士が接触することにより生じる異音を抑えることができる。
【図面の簡単な説明】
【００２４】
【図１】本発明のレンズ鏡筒の一実施形態の半断面図である。
【図２】図１のレンズ鏡筒の要部の分解斜視図である。
【図３】（ａ）は、図１のレンズ鏡筒に用いられるカムフォロアの斜視図、（ｂ）は、カムフォロアの平面図、（ｃ）は、（ｂ）のＶ−Ｖ線断面図である。
【図４】（ａ）は、図１のレンズ鏡筒に用いられるカム筒のカム溝にカムフォロアが当接した状態の要部の拡大平面図、（ｂ）は、（ａ）のＶＩ−ＶＩ線断面図である。
【図５】離間部材が取り付けられた圧縮コイルスプリングの要部の背面図である。
【図６】展開した状態の離間部材の正面図である。
【図７】圧縮コイルスプリングに離間部材を取り付ける際の説明図である。
【図８】図１のレンズ鏡筒に用いられるレンズ保持枠が像側に移動した状態のレンズ鏡筒の要部の半断面図である。
【発明を実施するための形態】
【００２５】
以下、本発明を実施するための形態について、図面を参照しながら詳細に説明する。図１は、本発明のレンズ鏡筒の一実施形態の半断面図、図２は、図１のレンズ鏡筒の要部の分解斜視図である。尚、図のＸ方向を前方側（物体側）とし、Ｙ方向を後方側（像側）として説明する。
【００２６】
本発明のレンズ鏡筒１は、レンズ鏡筒本体と、移動レンズ保持部材（保持部材）５と、移動レンズ保持部材５に光軸方向に移動可能に保持されたレンズ保持枠７２ａと、レンズ保持枠７２ａを付勢した圧縮コイルスプリング７５と、離間部材８とを備えている。
【００２７】
レンズ鏡筒本体は、固定筒２と、カム筒３と、カムフォロア４と、カムフォロア付勢部材６とを備えている。
【００２８】
固定筒２は、円筒状のものから構成されており、同一構成を採る３つの案内溝（案内部）２１を備えている。これらの３つの案内溝２１は、固定筒２の周方向に沿って等間隔に配設されている。
【００２９】
各案内溝２１は、固定筒２の内面から外面に所定幅で貫通するようにして、軸方向（光軸方向）である前後方向に直線状に延されている。
【００３０】
また、この実施形態の固定筒２は、前端部に固定枠を介して固定レンズ７１を固定的に保持している。
【００３１】
また、固定筒２は、その後端部に、第１カバー２２、第２カバー２３、さらにはマウント２４が固定的に取り付けられている。
【００３２】
カム筒３は、円筒状のものから構成されており、内面に、同一構成を採る３つのカム溝３１を備えている（図２では１つだけが表れている）。これらの３つのカム溝３１は、カム筒３の周方向に沿って等間隔に配設されている。
【００３３】
各カム溝３１は、カム筒３の内面から所定の深さで、展開状態のカム筒３の軸方向に対して角度をなして直線状に形成されており、周方向に距離を持って形成された一対の内側面３１ａを備えている。
【００３４】
一対の内側面３１ａは、図４（ｂ）に示すように、断面において、カム筒３の中心を通る径方向線Ｐに対して対称形状に、角度α２をなす傾斜面に形成されており、径方向外側に行くに従って漸次幅が狭くなるテーパー部３１ｃをなしている。
【００３５】
このように構成されたカム筒３は、固定筒２の径方向外側に、固定筒２に対して回動可能且つ軸方向移動不能に配設されている。
【００３６】
カムフォロア４は、図２に示すように、各カム溝３１を摺動する同一構成を採る３つからなる。各カムフォロア４は、図３に示すように、一端（先端）から他端にかけて中心を貫くように形成された軸孔４３と、一端側における外周に形成されたテーパー当接部４１と、他端側における外周に形成された案内溝嵌挿部４２とを備えている。
【００３７】
軸孔４３は、後述の移動レンズ保持部材５のカムフォロア保持軸５１が嵌挿された軸嵌挿孔４３ａと、カムフォロア付勢部材６を収納したバネ収納部４３ｂとを備えている。
【００３８】
テーパー当接部４１は、カム溝３１のテーパー部３１ｃと面接（面接触）し得るように、テーパー部３１ｃにおける所定の長さ領域と同一形状に形成されている。
【００３９】
詳しくは、テーパー当接部４１は、テーパー部３１ｃの一対の内側面３１ａのそれぞれと面接する一対のテーパー面接部４１ａを備えている。
【００４０】
テーパー面接部４１ａは、それぞれ、カムフォロア４の軸心に対して先端に行くに従って漸次距離が短くなる傾斜平面から構成され、一対のテーパー面接部４１ａにより構成されたテーパー当接部４１は、先端に行くに従って漸次距離が短くなるテーパー面をなしている。
【００４１】
案内溝嵌挿部４２は、固定筒２の案内溝２１の幅と略同じ径を有するほぼ断面円形状を呈しており、固定筒２の案内溝２１に移動可能に嵌挿される。
【００４２】
カムフォロア付勢部材６は、カムフォロア４を径方向外側に付勢するためのものである。この実施形態のカムフォロア付勢部材６は、図２、図４に示すように、コイルスプリングから構成され、後述の移動レンズ保持部材５のカムフォロア保持軸５１が挿通され、その状態で、カムフォロア４のバネ収納部４３ｂに収納されている。
【００４３】
又、バネ収納部４３ｂに収納されたカムフォロア付勢部材６は、その一端がカムフォロア４のバネ収納部４３ｂの内端面に当接し、他端が移動レンズ保持部材５のカムフォロア保持軸５１に当接している。これにより、カムフォロア付勢部材６は、カムフォロア４をカムフォロア保持軸５１の軸方向であるカム筒３の径方向の外側に付勢している。
【００４４】
次に、移動レンズ保持部材５について説明する。移動レンズ保持部材５は、図１、図２に示すように円筒状の保持部材本体５０と、保持部材本体５０に取付けられた同一構成を採る３つのカムフォロア保持軸５１を備えている。
【００４５】
保持部材本体５０は、前部の内周面に、螺旋状の螺旋溝５４を備えている。又、保持部材本体５０は、後部の内周側に、レンズ取付部５２を備えており、このレンズ取付部５２に、保持部材取付レンズ７３が固定枠７３ａを介して固定的に取付けられている。又、保持部材本体５０は、内周側における螺旋溝５４と固定枠７３ａとの間に配設された絞り保持枠７４を備えている。絞り保持枠７４は、保持部材本体５０に固定的に取り付けられている。
【００４６】
又、保持部材本体５０は、カムフォロア保持軸５１を取付けるための同一構成を採る３つの保持軸取付部５３を備えている。これらの保持軸取付部５３は、保持部材本体５０の周方向に沿って等間隔に配設されており、各保持軸取付部５３は、保持部材本体５０の外周面から内周面を貫通するように形成されている。
【００４７】
カムフォロア保持軸５１は、図４３（ｂ）に示すように、それぞれ、その軸方向の一端側となる先端側に、カムフォロア４を回転可能且つ軸方向移動可能に保持するカムフォロア保持部５１ａを備えている。
【００４８】
そして、カムフォロア保持軸５１は、図１、図２に示すようにその軸方向の他端側が固定筒２の外周側から案内溝２１に入れられるようにして、予め固定筒２の内周側に配置された保持部材本体５０の保持軸取付部５３に嵌挿されるようにして保持されている。
【００４９】
この状態で、カムフォロア保持部５１ａが保持部材本体５０の径方向外側に延ばされて固定筒２の案内溝２１から固定筒２の径方向外側に突出されている。
【００５０】
そして、この状態のカムフォロア保持部５１ａに、カムフォロア付勢部材６が挿入された後、カムフォロア４の軸嵌挿孔４３ａが挿入されている。これにより、カムフォロア付勢部材６がバネ収納部４３ｂに収納されてカムフォロア４の案内溝嵌挿部４２が固定筒２の案内溝２１に嵌挿されるとともに、テーパー当接部４１が固定筒２の案内溝２１から径方向外側に突出した状態になる。
【００５１】
又、このようにして移動レンズ保持部材５に保持されたカムフォロア４のカムフォロア保持部５１ａがカム筒３のカム溝３１に摺動可能に入れられている。
【００５２】
次に、レンズ保持枠７２ａについて説明する。レンズ保持枠７２ａは、図２に示すように略円筒体から構成されており、外周に、保持部材本体５０の螺旋溝５４に摺動可能に嵌合する螺旋突条７２ｂを備えている。又、レンズ保持枠７２ａは、図１に示すように内周側に、移動レンズ７２を固定的に保持している。
【００５３】
そして、この移動レンズ保持枠７２ａは、保持部材本体５０の内側に、螺旋突条７２ｂが保持部材本体５０の螺旋溝５４に摺動可能に嵌り込むようにして配設されている。
【００５４】
次に、圧縮コイルスプリング７５について説明する。圧縮コイルスプリング７５は、この実施形態では、図２に示すように、所定長さの線材が一端部７５ａから他端部にかけて順次に輪状に巻回成形されることによって軸方向に並設された複数の輪状部７５ｂを備え、軸方向に圧縮力を受けると軸方向に縮んで弾性力を蓄える。
【００５５】
又、この実施形態の圧縮コイルスプリング７５は、輪状部７５ｂの径（コイル径）が一端部７５ａから他端部に行くに従って順次に小さくなるテーパーコイルスプリングから構成されている。
【００５６】
そして、この圧縮コイルスプリング７５は、一端部７５ａが絞り保持枠７４に当接し、他端部が移動レンズ保持枠７２ａに当接するようにしてそれらの間に配設され、常時移動レンズ保持枠７２ａを絞り保持枠７４、即ち保持部材本体５０に対して前方側に付勢している。これにより、移動レンズ保持枠７２ａに保持された移動レンズ７２が保持部材本体５０に対して傾きやガタなく円滑に移動できるようになっている。
【００５７】
次に、離間部材８について説明する。離間部材８は、圧縮コイルスプリング７５の一部同士が接触することにより生じる異音を抑え得るように、圧縮コイルスプリング７５の線材の一部同士を離間させておくものである。
【００５８】
この実施形態の離間部材８は、合成樹脂製の折り曲げ自在な略矩形状のテープ状部材から構成されており、その一面８１側に、接着剤が塗布されている。又、離間部材８は、図６の上下中央の左右両端部に、それぞれ、端面から切り込まれた切れ込み部８３を備えている。
【００５９】
尚、この離間部材８の材質や形状等は、特に限定されず、適宜変更でき、例えば離間部材８は、合成ゴムやスポンジ等から構成することもできる。又、離間部材８の一面８１に接着剤が塗布される形態のものに限らず、例えば離間部材８の一面８１に、両面テープを配設したものでもよく、適宜変更できる。
【００６０】
そして、この実施形態では、離間部材８は、図５に示すように圧縮コイルスプリング７５の線材の一端部７５ａと隣接した輪状部７５ｂ１におけるその一端部７５ａとの対向部７５ｃと、その輪状部７５ｂ１における対向部７５ｃと周方向に半周、離隔した離隔部７５ｄとの２箇所に、次のようにして配設されている。
【００６１】
例えば図６に示すように、離間部材８の一面８１の左右の切れ込み部８３に、圧縮コイルスプリング７５の輪状部７５ｂ１における対向部７５ｃを位置合わせするように宛がう。そして、その状態から、離間部材８の上端側（一端側）を下方側に折り返して上端側と下端側（他端側）とを接着して接着部８２（図８に図示）を形成する。これにより、圧縮コイルスプリング７５の対向部７５ｃの外周が離間部材８によって被覆された状態になる。
【００６２】
その際、左右の切れ込み部８３を基準に折り曲げればよく、これにより、離間部材８の上端側と下端側とを重ね合わせるようにして接着でき、接着作業を容易なものにできる。又、切れ込み部８３によって離間部材８の幅寸法が短くなっているため、離間部材８の有する剛性によって接着が外れるおそれの少ないものにでき、強固に接着できる。一方、圧縮コイルスプリング７５の輪状部７５ｂ１を離間部材８の幅全体で被覆でき、圧縮コイルスプリング７５の輪状部７５ｂ１と一端部７５ａとの接触による異音を効率よく抑えることができる。
【００６３】
又、この状態で、接着部８２は、図１、図８に示すように、圧縮コイルスプリング７５の径方向内側（内周側）における絞り保持枠７４の前方側、且つ接着部８２の端縁が絞り保持枠７４の内周縁よりも径方向外側になるように配設されている。例えば圧縮コイルスプリング７５の径方向外側にレバー等の可動部材が配設されている場合に、接着部８２が圧縮コイルスプリング７５の径方向外側に配設されると、可動部材と干渉するおそれがある。一方、接着部８２の端縁が絞り保持枠７４の内周縁から径方向内側にはみ出すと、レンズ鏡筒１を通す光線の妨げになるおそれがある。そこで、接着部８２が上記のように配設されることで上記おそれのないものにしている。
【００６４】
以上のように構成されたレンズ鏡筒１のマウント２４が、レンズ７１〜７３によって結像される被写体の光学像を電気的な信号に変換する撮像素子９（図１に図示）を有する撮像装置本体に、マウント２４が取り付けられることにより撮像装置本体に装着されて使用される。
【００６５】
そして、図１に示すように、第１カバー２２の外周側に回動自在に配設された図示しない操作環が回動操作されることにより、その操作環に回転伝達可能に連結されたカム筒３が回動する。
【００６６】
このカム筒３の回動に伴って、移動レンズ保持部材５に保持されたカムフォロア４がカム溝３１を摺動する。又、その摺動に際して、カムフォロア４の案内溝嵌挿部４２が固定筒２の案内溝２１に沿って光軸方向である前後方向に移動する。これにより、移動レンズ保持部材５に保持された移動レンズ７２及び保持部材取付レンズ７３が前後方向に移動する。
【００６７】
又、固定筒２の外周側に回動自在に配設された駆動環７６ａが回動駆動されることにより、移動レンズ保持枠７２ａが連結片７６ｂ及び連動環７６ｃを介して保持部材本体５０に対して光軸方向である前後方向に回転しつつ移動する。
【００６８】
詳しくは、レンズ鏡筒本体は、固定筒２と駆動環７６ａとの径方向の間に回動自在に配設された連動環７６ｃと、前端が連動環７６ｃと回転伝達可能に連結された連結片７６ｂとを備えている。又、連動環７６ｃは、駆動環７６ａと回転伝達可能に連結されている。
【００６９】
そして、移動レンズ保持枠７２ａは、連結片７６ｂの後端に回転伝達可能に連結されており、駆動環７６ａがモータまたは手動によって回動されることによって、保持部材本体５０に対して前後方向に移動する。
【００７０】
又、移動レンズ保持枠７２ａが、圧縮コイルスプリング７５の付勢力に抗して後方側に移動すると、図８に示すように、圧縮コイルスプリング７５が軸方向に圧縮される。その際、離間部材８が配設されていない場合には、例えば輪状部７５ｂ同士（一部同士）が近接又は接触し、その状態で、例えば振動を受けると、近接した輪状部７５ｂ同士が当たり、或いは、接触した輪状部７５ｂ同士が摺れて異音を発する。特に、圧縮コイルスプリング７５の線材の一端部７５ａとそれに隣接した輪状部７５ｂ１におけるその一端部７５ａとの対向部７５ｃとが互いに接触して異音が生じ易い。
【００７１】
上記実施形態では、上述のように離間部材８が圧縮コイルスプリング７５の線材の一端部７５ａと隣接した輪状部７５ｂ１におけるその一端部７５ａとの対向部７５ｃと、その対向部７５ｃと周方向に半周、離間した離隔部７５ｄとの２箇所に配設されている。これにより、線材の一端部７５ａと輪状部７５ｂ１との接触、輪状部７５ｂ１とそれに隣接した輪状部７５ｂとの接触及び離隔部７５ｄとそれに隣接した輪状部との接触を防止でき、異音を効率よく、抑えることができる。
【００７２】
尚、上記実施形態では、離間部材８は、圧縮コイルスプリング７５の軸方向の径大側である一端部の輪状部７５ｂ１における周方向に半周隔てた２箇所に配設されたが、この形態のものに限らず、離間部材８の配設位置は、特に限定されず、３箇所以上に配設してもよく、適宜変更できる。又、輪状部７５ｂ１における周方向に離隔した２箇所に配設する場合、少なくとも１／３周、離隔するように配設するのが好ましい。
【００７３】
又、上記実施形態では、離間部材８は、圧縮コイルスプリング７５の軸方向の径大側である一端部に配設されたが、この形態のものに限らず、離間部材８は、少なくとも圧縮コイルスプリング７５の軸方向の一端部と他端部との一部に配設されればよく、適宜変更できる。
【００７４】
又、上記実施形態では、離間部材８は、テープ状部材から構成されたが、この形態のものに限らず、適宜変更できる。例えば離間部材８は、熱収縮可能なチューブ状のものから構成され、圧縮コイルスプリング７５の軸方向の後端部を、線材の一端部７５ａから順次入れるようにして加熱することによって後端部の全体を被覆するようにしても良い。
【００７５】
又、上記実施形態では、圧縮コイルスプリング７５は、テーパーコイルスプリングから構成されたが、この形態のものに限らず、適宜変更できる。例えば圧縮コイルスプリング７５は、軸方向の一端から他端にかけてコイル径が一定のコイルコイルスプリングでもよい。
【００７６】
又、圧縮コイルスプリング７５はテーパーコイルスプリングから構成される場合に、圧縮時に、隣接する２つの輪状部における径小の輪状部が径大の輪状部に当接するもの、或いは、径小の輪状部が径大の輪状部に当接することなく径内側に入り込むもので良い。そのように、当接することなく径内側に入り込んだ場合でも、振動によって径内側に入り込んだ径小の輪状部が径大の輪状部に接触して異音が生じるおそれがある。
【００７７】
又、上記実施形態では、圧縮コイルスプリング７５は、１つから構成されたが、この形態のものに限らず、例えば圧縮コイルスプリングは複数個から構成され、移動レンズ保持枠７２ａの周方向の複数個所のそれぞれに配設されてもよい。
【００７８】
又、上記実施形態では、レンズ保持枠７２ａは、固定筒２に対して光軸方向である前後方向に移動するとともに、移動レンズ保持部材５に対して回転しながら前後方向に移動するように構成されたが、この形態のものに限らず、適宜変更できる。レンズ保持枠７２ａは、移動レンズ保持部材５に対して前後方向に移動するものであればよい。
【符号の説明】
【００７９】
１    レンズ鏡筒
２    固定筒
３    カム筒
４    カムフォロア
５    移動レンズ保持部材（レンズ保持部材）
８    離間部材
３１    カム溝
７２ａ    レンズ保持枠
７５    圧縮コイルスプリング
【図１】
2014174182.tif 000003
【図２】
2014174182.tif 000004
【図３】
2014174182.tif 000005
【図４】
2014174182.tif 000006
【図５】
2014174182.tif 000007
【図６】
2014174182.tif 000008
【図７】
2014174182.tif 000009
【図８】
2014174182.tif 000010